(57)【要約】【課題】照射される光量を低減させることなく、眩しさを確実に低減することのできる照明器具を提供する。【解決手段】高輝度ランプ３２の中心３２４から発せられる直接光を遮って眩しさを低減するグレアカットキャップ３４の補助反射面３６１が、遮った光を反射板２５に反射し、反射板２５によって反射された光が照射される。このとき、補助反射面３６１の形状を高輝度ランプ３２の中心３２４を焦点とする放物面状とするとともに、放物面の軸３６２を高輝度ランプ３２の中心軸３２５に対して、０°超から９０°未満の範囲で傾けたので、補助反射面３６１によって反射された反射光が高輝度ランプ３２に戻るのを防止することができる。これにより、高輝度ランプ３２から発せられる光は全て反射板２５で反射して照明器具１０から照射されるので、光量の低下を防止して、眩しさを低減することができる。【選択図】図３
2010170738.tif 000002
【特許請求の範囲】
【請求項１】
高輝度ランプと、
前記高輝度ランプが発する光を所定の照射範囲に反射する反射板と、
一端に開口を有するグレアカットキャップ本体および該グレアカットキャップ本体の開口側端部から外側へ突出して周設された補助反射板を有するグレアカットキャップと、を有し、
前記高輝度ランプの先端に前記グレアカットキャップ本体の前記開口を所定間隔で取付けた照明器具であって、
前記補助反射板が、前記高輝度ランプの中心を焦点とする放物面状の補助反射面を有し、且つ前記補助反射面の軸が前記高輝度ランプの中心軸に対して０°超から９０°未満の範囲で傾いていることを特徴とする照明器具。
【請求項２】
前記グレアカットキャップ本体は、前記高輝度ランプの配光曲線に重ならないことを特徴とする請求項１記載の照明器具。
【請求項３】
前記グレアカットキャップ本体の内径が、前記高輝度ランプの外径と略同じであることを特徴とする請求項１または２記載の照明器具。
【請求項４】
前記補助反射板の外周端が、前記高輝度ランプの中心と前記反射板の先端とを結ぶ線上にあることを特徴とする請求項１ないし請求項３のいずれかに記載の照明器具。
【発明の詳細な説明】
【技術分野】
【０００１】
本発明は、高輝度ランプにグレアカットキャップを取付けて、眩しさを低減する照明器具に関するものである。
【背景技術】
【０００２】
従来より、眩しさを低減するための防眩装置が取り付けられた照明器具が提案されている（例えば特許文献１参照）。
図８（Ａ）に示すように、この照明器具１００では、光源である高輝度ランプ１０１は内部管１０２を備えている。この内部管１０２は内部に放電管１０３を有しており、外側は破裂防止のための保護管１０４によって間隔を置いて取り囲まれている。保護管１０４は、反射板１０５によって取り囲まれている。
【０００３】
図８（Ｂ）にも示すように、反射板１０５の開口部１０６の中央には、防眩装置である遮光部材１０７が取り付けられている。遮光部材１０７は半球状のカバーキャップ１０８と円筒部１０９を備えており、円筒部１０９の端部には、斜めに突出した防眩用のつば１１０が一体成形されている。
遮光部材１０７は、カバーキャップ１０８と円筒部１０９との境界の段部１１１で、保護管１０４の先端に設けられている膨隆部１１２を保持することによりランプ１０１に取付けられている。
【先行技術文献】
【特許文献】
【０００４】
【特許文献１】特表２００８−５２９２４６号公報（第１図）
【発明の概要】
【発明が解決しようとする課題】
【０００５】
しかしながら、前述したような従来の照明器具１００においては、高輝度ランプ１０１から発せられた光がつば１１０によって遮られ、遮られた光が吸収され、あるいは反射されたランプに戻るため、照明器具１００から発せられる光量が低下するという問題があった。
【０００６】
本発明は、従来の問題を解決するためになされたもので、照射される光量を低減させることなく、眩しさを確実に低減することのできる照明器具を提供することを目的とする。
【課題を解決するための手段】
【０００７】
本発明の照明器具は、高輝度ランプと、前記高輝度ランプが発する光を所定の照射範囲に反射する反射板と、一端に開口を有するグレアカットキャップ本体および該グレアカットキャップ本体の開口側端部から外側へ突出して周設された補助反射板を有するグレアカットキャップと、を有し、前記高輝度ランプの先端に前記グレアカットキャップ本体の前記開口を所定間隔で取付けた照明器具であって、前記補助反射板が、前記高輝度ランプの中心を焦点とする放物面状の補助反射面を有し、且つ前記補助反射面の軸が前記高輝度ランプの中心軸に対して０°超から９０°未満の範囲で傾いている構成を有している。
【０００８】
この構成により、高輝度ランプに取付けられたグレアカットキャップが、高輝度ランプの中心から発せられる直接光を遮って眩しさを低減する際に、グレアカットキャップの開口に周設された補助反射板の補助反射面が、遮った光を反射板に反射し、反射板によって反射された光が外部に照射される。このとき、補助反射板の補助反射面の形状を高輝度ランプの中心を焦点とする放物面状とするとともに、放物面の軸を高輝度ランプの中心軸に対して、０°超から９０°未満の範囲で傾けたので、補助反射面によって反射された反射光が高輝度ランプに戻るのを防止することができる。これにより、高輝度ランプから発せられる光は全て反射板で反射して照明器具から照射されるので、光量の低下を防止して、眩しさを低減することができる。
【０００９】
また、本発明の照明器具は、前記グレアカットキャップ本体は、前記高輝度ランプの配光曲線に重ならない構成を有している。
【００１０】
この構成により、高輝度ランプの中心から発せられた光は、グレアカットキャップ本体には照射されないので、グレアカットキャップ本体により照射光が吸収されることがなく、光量の低下を防止することができる。
【００１１】
また、本発明の照明器具は、前記グレアカットキャップ本体の内径が、前記高輝度ランプの外径と略同じである構成を有している。
【００１２】
この構成により、グレアカットキャップ本体の内径が、高輝度ランプの外径と略同じなので、グレアカットキャップ本体の先端を細くすることができ、照明器具の意匠の改善を図ることができる。
【００１３】
さらに、本発明の照明器具は、前記補助反射板の外周端が、前記高輝度ランプの中心と前記反射板の先端とを結ぶ線上にある構成を有している。
【００１４】
この構成により、高輝度ランプの中心から発せられる光を、グレアカットキャップの補助反射板が遮って眩しさを低減させるとともに、反射板からの反射光が通過する空間を確保することができる。
【発明の効果】
【００１５】
本発明は、グレアカットキャップの開口に周設された補助反射板の補助反射面が、遮った光を反射板に反射し、反射板によって反射された光が照射される。このとき、補助反射板の補助反射面の形状を高輝度ランプの中心を焦点とする放物面状とするとともに、放物面の軸を高輝度ランプの中心軸に対して、０°超から９０°未満の範囲で傾けたので、補助反射面によって反射された反射光が高輝度ランプに戻るのを防止することができる。これにより、高輝度ランプから発せられる光は全て反射板で反射して照明器具から照射されるので、光量の低下を防止して、眩しさを低減することができるという効果を有する照明器具を提供することができるものである。
【図面の簡単な説明】
【００１６】
【図１】（Ａ）は本発明の照明器具の実施形態を示す側面図、（Ｂ）は（Ａ）中Ｂ−Ｂ位置の断面図
【図２】（Ａ）はグレアカットキャップの平面図、（Ｂ）はグレアカットキャップの側面図および断面図
【図３】グレアカットキャップの補助反射面とＨＩＤランプの中心軸との関係を示す説明図
【図４】ランプの発光部から発せられた光の経路を示す説明図
【図５】ランプの配光曲線の説明図
【図６】ランプとグレアカットキャップと反射板との位置関係を示す断面図
【図７】グレアカットキャップの補助反射面の軸とランプの中心軸とが所定角度で傾いた場合の照明器具の下方における光度分布を示すグラフの一例
【図８】（Ａ）は従来の照明器具の断面図、（Ｂ）は（Ａ）中Ｂ位置の拡大断面図
【発明を実施するための形態】
【００１７】
以下、本発明の実施形態の照明器具について、図面を用いて説明する。
図１（Ａ）は本発明の実施形態にかかる照明器具を示す側面図、図１（Ｂ）は（Ａ）中Ｂ−Ｂ位置の断面図、図２（Ａ）はグレアカットキャップの平面図、図２（Ｂ）はグレアカットキャップの側面図および断面図、図３はグレアカットキャップの補助反射面とＨＩＤランプの中心軸との関係を示す説明図、図４はランプの発光部から発せられた光の経路を示す説明図、図５はランプの配光曲線の説明図、図６はランプとグレアカットキャップと反射板との位置関係を示す断面図、図７はグレアカットキャップの補助反射面の軸とランプの中心軸とが所定角度で傾いた場合の照明器具の下方における光度分布を示すグラフの一例である。
【００１８】
図１に示すように、本発明の照明器具１０は、例えば、天井に設けられている開口に埋め込んで、下方を照らす照明として使用することができる。
照明器具１０は、門型の器具本体２０を有し、器具本体２０の内部に灯体３０を有する。器具本体２０の上板２１の中央下面には下方に向けてソケット３１が取付けられており、ソケット３１には、ＨＩＤランプ（High Intensity Discharge lamp）等の高輝度ランプ３２（以後、「ランプ３２」という。）が交換可能に取付けられる。ソケット３１は、例えば器具本体２０とは別体で設けられている安定器３３に接続されており、ランプ３２の動作中に定電力を供給して均一なランプ出力を得るようにしている。
【００１９】
器具本体２０の側板２２の外面には、器具本体２０を天井等に取付けるための取付金具２３が設けられている。取付金具２３には、例えば、アーム２３１をバネ２３２によって外側へ開くように設けておく。これにより、器具本体２０を天井の開口から挿入する際にはアーム２３１が内側へ移動し、天井の上側に達したときに、バネ２３２の復帰力により左右のアーム２３１が外側へ拡開して、器具本体２０を天井に取付けることができる。
【００２０】
器具本体２０の上板２１には、ソケット３１を内包するように取付台２４が設けられており、この取付台２４には、例えば放物面状の反射面２５１を有する反射板２５が取り付けられている。反射板２５は、ランプ３２が発する光を所定の照射範囲に反射する。器具本体２０の先端部にはリング状の枠部材２６が取付けられており、この枠２６に、反射板２５の先端２５２が固定されている。枠部材２６は、照明器具１０が天井に取付けられた際には、天井の下面に露出するため、化粧板となっている。
【００２１】
図４にも示すように、ランプ３２は３重管構造をなし、最も外側に設けられている外側管３２１は、半球状の先端部３２２を有し、基端側にはソケット取付部（図示省略）を有する。また、ランプ３２の最も内側には発光管３２３を有し、ランプ３２の中心に発光部３２４を有する。先端部３２２には、発光管３２３からの光を遮って、眩しさを低減するためのグレアカットキャップ３４が取付けられる。
【００２２】
図２に示すように、グレアカットキャップ３４は、一端側に開口３５１を有するとともに他端側に底板３５２を有する略円筒形状のグレアカットキャップ本体３５と、グレアカットキャップ本体３５の開口３５１側端部から外側へ突出して周設された補助反射板３６とを有する。グレアカットキャップ本体３５は、底板３５２側が開口３５１側よりも小径となっており、先細り形状となっている。
【００２３】
グレアカットキャップ本体３５の開口３５１における内径Ｄ２は、ランプ３２の外径Ｄ１（図４参照）よりも大きめで略同じ大きさとなっており、グレアカットキャップ本体３５の開口３５１にランプ３２の先端部が所定間隔離して挿入可能となっている。グレアカットキャップ３４は、グレアカットキャップ本体３５の開口３５１がランプ３２の先端部に外嵌するように、キャップ支持板２７（図１参照）により支持されている。
【００２４】
図３に示すように、補助反射板３６は、グレアカットキャップ３４をランプ３２に取付けた状態で、ランプ３２の中心である発光部３２４を焦点とする放物面状の補助反射面３６１を有する。さらに、放物面状の補助反射面３６１の軸３６２は、ランプ３２の中心軸３２５に対して傾いており、傾き角度βは、０°＜β＜９０°となっている。すなわち、補助反射面３６１は、軸３６２がランプ３２の中心軸３２５と重なる場合の放物面よりも開くとともに曲率半径が大きくなっている。
【００２５】
このため、図４に示すように、ランプ３２の中心である発光部３２４から発せられた光ＢＭ１は、補助反射板３６の補助反射面３６１で反射して、ランプ３２の中心軸３２５よりもβの傾き方向、すなわち、外側へ傾いて、反射板２５の反射面２５１に向かう（反射光ＢＭ２）。そして、反射面２５１で反射した反射光ＢＭ３は、補助反射板３６と反射板２５との間の空間から、外部に照射される。
【００２６】
また、図５に示すように、グレアカットキャップ本体３５は、ランプ３２の発光部３２４から発せられる方向と光量との関係を示す配光曲線ＨＬに重ならないように配置されている。
従って、ランプ３２の発光部３２４からグレアカットキャップ３４に発せられた光は、グレアカットキャップ本体３５に照射される光は殆どなく、補助反射板３６の補助反射面３６１に照射される。なお、補助反射面３６１によって反射された光は、図４において説明したように反射板２５を介して、外部に照射される。
【００２７】
また、図６に示すように、補助反射板３６の外周端３６３は、ランプ３２の中心である発光部３２４と反射板２５の先端２５２とを結ぶ線Ｌの上に位置するように配置されている。
従って、発光部３２４からの光は、直接照明器具１０の外部に照射されることはなく、反射板２５あるいは補助反射板３６と反射板２５により反射して、照明器具２０から照射される。このため、照明器具１０の下方にいる人が、発光部３２４を直接視認することはない。
【００２８】
図７には、補助反射面３６１の軸３６２とランプ３２の中心軸３２５との間の傾き角度が、β＝８５°のときの、照明器具１０の直下における光度が示されている。横軸はランプ３２の中心の真下からの距離（ｍｍ）を示し、縦軸は光度（ｃｄ）を示す。また、図中、実線は本発明にかかるグレアカットキャップ３４を用いた照明器具１０の場合を示し、破線は従来のグレアカットキャップ（すなわち、β＝０°）を用いた照明器具の場合を示す。図７に示すように、照明器具１０の中心の真下近辺の光度が減少して、眩しさが低減されたことがわかる。また、中心の真下から離れた位置においては光度が上昇しており、全体の明るさ（すなわち、グラフの曲線で囲まれた面積）が増していることがわかる。
【００２９】
以上、説明した本発明の実施形態にかかる照明器具１０によれば、ランプ３２に取付けられたグレアカットキャップ３４が、ランプ３２の中心の発光部３２４から発せられる直接光を遮って眩しさを低減する。この際に、グレアカットキャップ本体３５の開口３５１に周設された補助反射板３６の補助反射面３６１が、遮った光を反射板２５に反射し、反射板２５によって反射された光が、照明器具１０から照射される。このとき、補助反射板３６の補助反射面３６１の形状を、ランプ３２の中心を焦点とする放物面状とするとともに、放物面の軸３６２をランプ３２の中心軸３２５に対して、０°超から９０°未満の範囲で傾けたので、補助反射面３６１によって反射された反射光が、ランプ３２に戻るのを防止することができる。
これにより、ランプ３２から発せられる光は全て反射板２５で反射して照明器具１０から照射されるので、光量の低下を防止して、眩しさを低減することができる。また、ランプ３２へ戻る光を減少させるので、ランプ３２の温度上昇を低減することができる。
【００３０】
また、ランプ３２の中心の発光部３２４から発せられた光は、グレアカットキャップ本体３５には照射されないので、グレアカットキャップ本体３５により照射光が吸収されることがなく、光量の低下を防止することができる。
【００３１】
また、グレアカットキャップ本体３５の内径Ｄ２が、ランプ３２の外径Ｄ１と略同じなので、グレアカットキャップ本体３５の先端を細くすることができ、照明器具１０の意匠の改善を図ることができる。
【００３２】
さらに、グレアカットキャップ３４の補助反射板３６の外周端３６３を、ランプ３２の中心の発光部３２４と反射板２５の先端２５２とを結ぶ線Ｌ上に配置したので、ランプ３２の発光部３２４から発せられる光を、グレアカットキャップ３４の補助反射板３６が遮って眩しさを低減させるとともに、反射板からの反射光が通過する空間を確保することができる。
【００３３】
なお、本発明の照明器具は、前述した実施形態に限定されるものでなく、適宜な変形，改良等が可能である。
【符号の説明】
【００３４】
１０  照明器具
２５  反射板
２５２  先端
３２  高輝度ランプ
３２４  発光部（中心）
３２５  中心軸
３４  グレアカットキャップ
３５  グレアカットキャップ本体
３５１  開口
３６  補助反射板
３６１  補助反射面
３６２  軸
３６３  外周端
Ｄ１  ランプの外径
Ｄ２  グレアカットキャップ本体の内径
ＨＬ  配光曲線
Ｌ  結ぶ線
【図１】
2010170738.tif 000003
【図２】
2010170738.tif 000004
【図３】
2010170738.tif 000005
【図４】
2010170738.tif 000006
【図５】
2010170738.tif 000007
【図６】
2010170738.tif 000008
【図７】
2010170738.tif 000009
【図８】
2010170738.tif 000010